(57)【要約】【課題】高価な自転車を室内に保管し、飾ることができるケースが求められている。【解決手段】室内の壁に自転車係止装置を取り付け、左右２分割の透明樹脂製カバーで自転車全体を覆う。【選択図】図５
2018177175.tif 000002
【特許請求の範囲】
【請求項１】
自転車を展示又は保管する際、ゴミや埃が付着するのを防止するための、自転車全体を覆うカバーにおいて、以下の様に構成された事を特徴とする、自転車展示ケース。
１、カバーを左右２分割とし、どちらか一方を、略垂直な壁、又は略水平な床に固定、又は着脱自在に装置する。
２、上記の分割カバーを合わせた時に内側となる空間、又はカバーの内側面に、自転車を係止、又は固定、又は吊り下げ、又は保持することが可能なラック、又は台、又はフック、又はスタンド、又は保持装置を設ける。尚、自転車を係止、又は固定、又は吊り下げ、又は保持することが可能なラック、又は台、又はフック、又はスタンド、又は保持装置は、以下、ラック等と記す。
３、壁又は床に装置されたカバーと他方のカバーの接合部に固定具を装置し、自転車を係止した後、左右のカバーを合わせて一体化できる様に構成する。
【請求項２】
自転車を展示又は保管する際、ゴミや埃が付着するのを防止するための、自転車全体を覆うカバーにおいて、以下の様に構成された事を特徴とする、自転車展示ケース。
１、ラック等は、壁又は床に固定、又は着脱自在に取り付け、又は床に据え置き可能とし、自転車係止の邪魔にならない位置に、１個又は複数の、カバー保持装置を設ける。
２、カバーを左右２分割とし、自転車をラック等に係止後、左右のカバーを順番に取り付ける。
３、左右２分割されたカバーの一方は、ラック等に設けられたカバー保持装置でラック等に着脱自在に固定する。
４、他方のカバーは、ラック等に設けられたカバー保持装置でラック等に着脱自在に取り付ける、又は左右のカバーの接触部にて、所定の固定具を使用して着脱自在に固定する、又はカバー保持装置とカバー接触部の固定具と両方を使用して着脱自在に固定する。
【請求項３】
自転車を展示又は保管する際、ゴミや埃が付着するのを防止するための、自転車全体を覆うカバーにおいて、以下の様に構成された事を特徴とする、自転車展示ケース。
１、自転車を、スタンド、又はラック、又は所定の固定具を使用して、略直立状態で保持する。
２、自転車のサドル、フレーム、ハンドル、ペダル、クランク、タイヤ、リム、車軸、スポークの、いずれか１か所、又はいずれか複数か所に、カバー保持装置を着脱自在に取り付ける。
３、請求項２に記載の構成にてカバーを取り付け、自転車全体を覆うカバーを構成する。
【請求項４】
請求項１から請求項３のいずれかの構成において、カバーの分割構造及びラック等を、以下のいずれかの構成とした事を特徴とする、自転車展示ケース。
１、カバーを略上下方向に、２分割、又は３分割、又は４分割とした。
２、カバーを略前後方向に、２分割、又は３分割、又は４分割とした。
３、カバーを略左右方向に、３分割、又は４分割とした。
４、カバーを斜めに分割した。
５、カバーの分割面を曲線、又は曲面、又は屈曲面とした。
６、上記１から５の分割方法のいずれか複数を、組み合せた。
７、カバーの外表面又は外側に、ラック等の一部が露出し、又はラック等に取り付けられた運搬用ステーが露出し、自転車にカバーを取り付けた状態で、車載又は運搬可能とした。
８、分割されたカバーの合わせ面にフランジ部を設け、面と面で密着させることにより、気密性を高めた。
９、分割されたカバーの合わせ面にフランジ部を設け、フランジ部にカバーを着脱自在に係止する固定具を装置した。
【請求項５】
以下のいずれか、又は以下のいずれか複数の特徴を有する、請求項１から請求項４のいずれかに記載の、自転車展示ケース。
１、カバーを硬質樹脂、又は軟質樹脂で形成した。
２、カバーを透明、又は略透明、又は半透明の樹脂製とした。
３、カバーを金属線、又はグラスファイバー、又はカーボンファイバーで補強した樹脂とした。
４、カバーを多数のスリット、又は多数の貫通孔を設けた金属、又は軽金属製とした。
５、カバーの合わせ部を、凹凸の組み合わせによる嵌合構造とした。
６、カバーの合わせ部に、ゴム又は軟質樹脂による防塵シールを設けた。
７、カバーの合わせ部は、弾性部材の付勢力によって固定する構成とした。
８、外した際に立て掛けて置けるスタンド、又は吊り下げるフックを、カバーに装置した。
９、カバーを、自転車の外観形状及び凹凸に合わせて成形した。
１０、カバーを着色した、又は文字や記号を印刷、又は成形し、意匠面とした。
１１、カバーとカバーをヒンジで連結し、開閉可能に装置した。
１２、カバーを、所定の形状の枠体にフィルムを貼った構造とした。
１３、カバーを、金属又は非透明な部材と、透明又は略透明な部材との組み合わせとした。
１４、カバーを熱硬化性樹脂又は熱収縮性樹脂で形成し、自転車に装着後、過熱する事により、多様な形状の自転車にカバーの形状を近似させた。
１５、カバーの外周部又は外周部近傍をバネ材とし、捻りを加えることでコンパクトに畳める様に装置した。
１６、カバーの内部又は外表面に、電飾を施した。
１７、カバーの略形状を、卵を左右対称に分割した形状とし、運搬や保管時に、重ね合わせが可能に構成した。
１８、カバーの合わせ部又はフランジ部は、締結部材を用いて固定する構成とした。
１９、カバー又は請求項１に記載されたラック等の自転車保持装置を、室内の壁又床に装置した。
２０、カバーの一部分に、着脱又は開閉可能な、窓又は貫通孔を設けた。
２１、カバーの一部を切り欠いた、又はスリットや貫通孔を設け、自転車の一部が露出する様に装置した。
２２、カバーに貫通孔を設け、ラック等は略水平の棒状部材とし、棒状部材を貫通孔に通すことにより、カバーを係止した。
【発明の詳細な説明】
【技術分野】
【０００１】本発明は、高級な自転車を室内に保管し、さらに、見栄え良くディスプレイすることにより、所有者に所持する満足感を与えることができる、展示・保管ケースに関する。
【背景技術】
【０００２】近年の自転車は、ホームセンター等で販売される廉価な物と、専門店で皈売される高級な物とに二極化しているが、後者は盗難に遭遇し易く、社会問題になっている。
その為、高級な自転車を室内に保管する人が増加しているが、ただ単に室内に持ち込んでも邪魔になり、埃も付く為、インテリアとして違和感無く室内に保管が可能な、専用のケースが求められている。
【先行技術文献】
【０００３】無し。
【発明の概要】
【発明が解決しようとする課題】
【０００４】高級な自転車を盗難などのトラブルから守り、所有者の所有欲を満たす為には、下記の全ての課題を解決する必要がある。
１、自転車を室内に、安全かつ確実に保管できること。
２、自転車を、埃やゴミから確実に守ること。
３、タイヤに付着した土などで室内を汚さないこと。
４、常に、自転車を目視確認できること。
５、自転車の保管と取り出しが、容易であること。
６、インテリアの一部として、自転車を飾れること。
７、保管するケースの表面を、意匠面として活用できること。
８、室内で、邪魔にならないこと。
９、高価な自転車の外観品質・性能・機能に見合った、高級感のあるケースであること。
１０、その日の気分で、意匠形状を変更可能なこと。
【課題を解決するための手段】
【０００５】課題を解決する為には、本発明の請求項１から請求項５のいずれかに記載された構成を１つ、又は複数選択して採用する。その内容は、概略、以下の構成を指す。
１、室内の壁に、自転車を吊り掛け可能なラックを取り付ける。
２、自転車全体を覆う、左右２分割の透明樹脂製ケースを用意する。
３、壁側のカバーをラックに取り付け、自転車を固定した後、反対側のカバーを取り付け、自転車を覆う。
【発明の効果】
【０００６】本発明の、請求項１から請求項５のいずれかに記載された構成を複数採用すれば、前述の課題を、全て完璧に解決する事ができる。
【図面の簡単な説明】
【０００７】
【図１】  本発明の自転車展示ケースの、ラックを壁に取り付けた状態を表す。
【図２】  本発明の自転車展示ケースの、壁側のカバーを表す。
【図３】  本発明の自転車展示ケースのカバーを、上から見た状態を表す。
【図４】  本発明の自転車展示ケースに自転車を収納した状態で、前方から見た状態を表す。
【図５】  本発明の自転車展示ケースに自転車を収納した状態で、右側から見た状態を表す。
【発明を実施するための形態】
【０００８】本発明を実施し、課題を全て解決する為の形態や構成は、請求項１から請求項５に詳述された通りであり、そのいずれか、又はいずれか複数を選択すれば良い。その構成の一例を、図を使用して説明する。
【実施例】
【０００９】図１は、室内の壁１に、自転車を乗せて固定するラック３を、ステー４を介して取り付けた状態を表す。これにより、自転車は床２に接地せず、浮き上がった状態で室内保管が可能となる。【００１０】図２は、自転車を覆うカバーの片側を表す。５は壁側のカバーを表し、貫通孔６をラック３に通しして固定する事が可能となる。また、カバー５の周囲はフランジ状の合わせ面７が設けられており、反対側のカバーを着脱自在に取り付け可能となっている。【００１１】図３は、自転車を覆う左右のカバーを組み合わせた状態を上から見た図である。カバー５と反対側のカバー８は、フランジ７に設けられた係止具により、カバー５に取り付けられている。尚、左右のカバーを固定する係止具は、締結部材や弾性部材を利用する構成などがある。【００１２】図４は、本発明品の自転車展示ケースに自転車を保管した状態で、前方から見た図を表す。カバー５は、取付部６を介して壁１に固定され、自転車９は、ラック３に乗せて係止している。反対側のカバー８は、フランジ７によってカバー５と隙間無く密着している為、自転車は完全に覆われた状態となり、埃や汚れが付くことがなく、また、タイヤに付着した土などで床を汚す心配が無い。【００１３】図５は、図４の状態を自転車の右側から見た図を表す。この構成により、自転車は部屋の壁を飾る高級なインテリアとなり、所有者の欲求を十分に満足させることができる。また、透明のカバー８に、若干の着色を行ったり、デザインを施すことにより、さらに高級感を増すこともできる。
【産業上の利用可能性】
【００１４】本発明の、請求項１から請求項５のいずれかに記載された構成を、１つ又は複数選択して採用すれば、前述の課題を全て解決する事が可能となり、高価な自転車を盗難から守ると同時に、所有欲を満たすことができる。
【符号の説明】
【００１５】１、部屋の壁
２、部屋の床
３、自転車を支えるラック（略水平に設置された、棒状のステー）
４、ラックを壁に取り付けるステー
５、壁側の、透明カバー（図の自転車の、左側カバー）
６、壁側のカバーに設けられた、ラックを通して固定する貫通孔
７、左右のカバーを着脱自在に固定する係止装置を設けた、フランジ部
８、壁と反対側の、透明カバー（図の自転車の、右側カバー）
９、自転車
【図１】
2018177175.tif 000003
【図２】
2018177175.tif 000004
【図３】
2018177175.tif 000005
【図４】
2018177175.tif 000006
【図５】
2018177175.tif 000007